(57)【要約】      （修正有）【課題】ドア開閉時に押しボタンノブを押し続けるなどの煩雑な操作をする必要がなく、簡便なドア開閉を実現しつつ、必要な時にのみドア位置を固定する冷蔵庫を提供する。【解決手段】冷蔵庫本体の前面開口部を閉塞する回転式ドアである冷蔵室左ドア１８と、冷蔵室右ドア１９と、ドアの回転を止める制動部である下部ヒンジ５１と、下部ドア回転軸５３と、回転制動部品５６と、制動操作部である制動レバー５８と、プッシュロッド５９とを備え、制動操作部が固定モード時はドアの閉方向への回転を固定し、かつ、ドア開方向へは自由に回転可能とし、制動操作部が通常モード時はドアの回転を行わないとしたものである。これにより、食品収納時の任意位置でのドア固定と微調整を可能にし、かつ、ドア固定の必要がない場合は従来の冷蔵庫と同等の簡易なドア操作性を提供できる。【選択図】図４
2014142144.tif 000002
【特許請求の範囲】
【請求項１】
冷蔵庫本体と、前記冷蔵庫本体の前面開口部を閉塞する回転式のドアと、前記ドアの回転を止める制動部と、前記制動部の動作を制御する制動操作部とを備え、前記制動操作部は固定モードと通常モードとを有し、前記制動操作部が固定モード時に前記ドアの回転を固定し、前記制動操作部が通常モード時は前記ドアを自由に回転可能とした冷蔵庫。
【請求項２】
前記ドアの回転を任意の角度で無段階に固定可能とした請求項１に記載の冷蔵庫。
【請求項３】
前記制動操作部が固定モード時において、前記ドアの閉方向の回転は固定し、開方向へは自由に回転可能とした請求項１から２に記載の冷蔵庫。
【請求項４】
前記制動部はヒンジと、前記ヒンジに設けられたドア回転軸と、前記ドア回転軸に係合された回転制動部品から構成され、前記回転制動部品は一方向のみの回転を制動することを特徴とした請求項１から３のいずれか一項に記載の冷蔵庫。
【請求項５】
前記制動部はヒンジと、前記ヒンジに係合されたリンク部材と、前記リンク部材に係合されたロッド部材と、前記ロッド部材が貫通する並進制動部品から構成され、前記並進制動部品は前記ロッド部材の一方向のみの並進動作を制動することを特徴とした請求項１から３のいずれか一項に記載の冷蔵庫。
【発明の詳細な説明】
【技術分野】
【０００１】
本発明は、ドアを任意位置で固定できる冷蔵庫に関するものである。
【背景技術】
【０００２】
従来、この種の冷蔵庫としては、ドア回転軸にてドアの開閉を制動する冷蔵庫が知られている（例えば、特許文献１参照）。
【０００３】
図９は特許文献１に記載された従来の冷蔵庫の正面図、図１０は同特許文献１に記載された冷蔵庫の扉上部を示す要部斜視図である。
【０００４】
図９、図１０において、ドア１はヒンジピン２を備えたヒンジ３を介し冷蔵庫本体４に取り付けられている。このヒンジピン２には樹脂にて形成されたブレーキドラム５が設けられている。
【０００５】
ドア１上部には弾性を持つ樹脂からなるブレーキシュー６が設けられており、ブレーキドラム５に対向する位置に配置される。このブレーキシュー６によりブレーキドラム５を左右から圧接し、ドアの回転を制動している。
【０００６】
一端をテーパ状に形成したロッド７はドア１上部に沿って設けられており、テーパ部分はブレーキシュー６の開口部８に対向するよう配置されている。また、ロッド７のもう一方の端部には押しボタンノブ９が装着されており、ドア１の反ヒンジ側側面から突出している。このロッド７は、コイルスプリング１０により反ヒンジ側に向け付勢されている。
【０００７】
押しボタンノブ９をヒンジ側に押し込むことにより、ロッド７を介してブレーキシュー６の開口部８を拡げ、ブレーキドラム５との固定を解除し、ドア１の回転を可能にしている。また、押しボタンノブ９を放すと、コイルスプリング１０の付勢力によりロッド７が反ヒンジ側に移動し、ブレーキシュー６がブレーキドラム５を圧接することにより、ドア１を任意位置で固定するとしている。
【先行技術文献】
【特許文献】
【０００８】
【特許文献１】実開平２−１１４８９３号公報
【発明の概要】
【発明が解決しようとする課題】
【０００９】
しかしながら、前記従来の構成では、ドア開閉時に常に押しボタンノブを押しておく必要があり、ドア回転固定機能を持たない一般の冷蔵庫に比べ、ドア開閉操作が煩雑になってしまうという課題があった。
【００１０】
本発明は、前記従来の課題を解決するもので、ドア開閉の簡便さを損なうことなく、必要な時のみドア位置を固定する冷蔵庫を提供することを目的とする。
【課題を解決するための手段】
【００１１】
前記従来の課題を解決するために、本発明の冷蔵庫は、冷蔵庫本体の前面開口部を閉塞する回転式のドアと、前記ドアの回転を止める制動部と、前記制動部の動作を制御する制動操作部とを備え、前記制動操作部は固定モードと通常モードとを有し、前記制動操作部が固定モード時に前記ドアの回転を固定し、前記制動操作部が通常モード時は前記ドアを
自由に回転可能としたものである。
【００１２】
これによって、通常はドア回転の固定を行わずにドア開閉操作ができ、必要な時にのみ前記制動操作部を固定モードにして、前記ドアの回転を固定できる。
【発明の効果】
【００１３】
本発明の冷蔵庫は、ドア開閉の簡便さを維持しつつ、頻繁なドア開閉操作を行う必要がなく、食品収納、取出し時の利便性を向上させることができる。
【図面の簡単な説明】
【００１４】
【図１】本発明の実施の形態１における冷蔵庫の正面図
【図２】本発明の実施の形態１における冷蔵庫の側面断面図
【図３】本発明の実施の形態１における冷蔵庫のドアを示す分解斜視図
【図４】本発明の実施の形態１における冷蔵庫の制動操作部を示す正面図及び側面断面図
【図５】本発明の実施の形態１における冷蔵庫のドア動作を示す上面図
【図６】本発明の実施の形態２における冷蔵庫のドアを示す分解斜視図
【図７】本発明の実施の形態２における冷蔵庫の制動部を示す要部平面図
【図８】本発明の実施の形態２における冷蔵庫の制動部のモードを示す要部平面図
【図９】従来の冷蔵庫のドア開状態を示す正面図
【図１０】従来の冷蔵庫のドア上部の分解斜視図
【発明を実施するための形態】
【００１５】
第１の発明は、冷蔵庫本体と、前記冷蔵庫本体の前面開口部を閉塞する回転式のドアと、前記ドアの回転を止める制動部と、前記制動部の動作を制御する制動操作部とを備え、前記制動操作部は固定モードと通常モードとを有し、前記制動操作部が固定モード時に前記ドアの回転を固定し、前記制動操作部が通常モード時は前記ドアを自由に回転可能としたものであり、通常使用時はドア回転の固定を行わずにドア開閉操作ができ、必要な時にのみ前記制動操作部を固定モードにして、前記ドアの回転を固定できる。これにより、ドア開閉の簡便さを維持しつつ、食品収納、取出し時の利便性を向上させることができる。
【００１６】
第２の発明は、第１の発明において、前記ドアの回転を任意の角度で無段階に固定可能としたものであり、ユーザーの冷蔵庫設置環境に応じた適切な位置で前記ドアを固定することができる。これにより、利便性をさらに向上させることができる。
【００１７】
第３の発明は、第１または第２の発明において、前記制動操作部が固定モード時に、前記ドアの閉方向の回転は固定し、開方向へは自由に回転可能にしたものあり、ドア固定位置の微調整が容易に行え、利便性をさらに向上させることができる。
【００１８】
第４の発明は、第１から第３のいずれかの発明において、前記制動部はヒンジと、前記ヒンジに設けられたドア回転軸と、前記ドア回転軸に係合された回転制動部品から構成され、前記回転制動部品は一方向のみの回転を制動するものであり、前記ドアの閉方向への回転のみを固定することにより、前記ドア回転軸に対する前記ドアの回転を直接的に制動することが可能になり、制動部を小型化することができる。
【００１９】
第５の発明は、第１から第３のいずれかの発明において、前記制動部はヒンジと、前記ヒンジに係合されたリンク部材と、前記リンク部材に係合されたロッド部材と、前記ロッド部材が貫通する並進制動部品から構成され、前記並進制動部品は前記ロッド部材の一方向のみの並進動作を制動するものであり、前記リンク部材と前記ヒンジを介して前記ドアの閉方向への回転のみを固定することにより、前記ドアの回転動作を並進動作に変換して
制動することが可能となり、より大きな制動力を得ることができる。
【００２０】
以下、本発明の実施の形態について、図面を参照しながら説明する。尚、この実施の形態によって本発明が限定されるものではない。
【００２１】
（実施の形態１）
図１は、本発明の実施の形態１における冷蔵庫の正面図である。図２は、本発明の実施の形態１における冷蔵庫の側面断面図である。図３は、本発明の実施の形態１における冷蔵庫のドアを示す分解斜視図である。図４は、本発明の実施の形態１における冷蔵庫の制動操作部を示す正面図及び側面断面図である。図５は、本発明の実施の形態２における冷蔵庫のドア動作を示す上面図である。
【００２２】
図１から図５において、冷蔵庫１１には、冷蔵庫本体１２と、冷蔵温度帯に調整された冷蔵室１３と、冷凍温度帯に調整された製氷室１４と、上段冷凍室１５と、下段冷凍室１６と、冷蔵温度帯に調整された野菜室１７が配置されている。また、各貯蔵室には前面開口部を閉塞するように、冷蔵室左ドア１８と、冷蔵室右ドア１９と、製氷室ドア２０と、上段冷凍室ドア２１と、下段冷凍室ドア２２と、野菜室ドア２３が設けられている。これら複数のドアの内、冷蔵室左ドア１８と冷蔵室右ドア１９は、端部が軸支された回転式ドアであり、他の製氷室ドア２０、上段冷凍室ドア２１、下段冷凍室ドア２２、野菜室ドア２３は手前方向に直線的に開閉できる引出し式ドアである。
【００２３】
冷蔵室１３と製氷室１４の間、また冷蔵室１３と上段冷凍室１５の間は、断熱性を有する第一の仕切壁２４で区切られている。また同様に、下段冷凍室１６と野菜室１７の間も断熱性を有する第二の仕切壁２５で仕切られている。さらに、製氷室１４及び上段冷凍室１５と下段冷凍室１６は、断熱性を有する仕切体２６で区切られている。この仕切体２６は冷凍室の全幅に亘って設けられている。
【００２４】
冷蔵室１３内には食品を載置する複数の冷蔵室棚２７が設けられ、冷蔵室左ドア１８及び冷蔵室右ドア１９には複数のドア棚２８が設けられている。また、製氷室１４内には氷を貯蔵する貯氷ケース２９が設けられ、上段冷凍室１５内には第一の冷凍ケース３０が設けられている。また、下段冷凍室１６内には第二の冷凍ケース３１と、第三の冷凍ケース３２が設けられており、第三の冷凍ケース３２は第二の冷凍ケース３１の上を前後方向に摺動可能な構造となっている。また、野菜室１７内には第一の野菜ケース３３と第二の野菜ケース３４が設けられており、第二の野菜ケース３４は第一の野菜ケース３３の上を前後方向に摺動可能な構造となっている。
【００２５】
冷蔵庫本体１２の背面上部には圧縮機３５が配置され、同じく冷蔵庫本体１２の背面には制御基板３６が配置されている。また、冷蔵庫本体１２の背面下部には霜取り水を受け蒸発させる蒸発皿３７が配置されている。
【００２６】
冷蔵室１３内の背面には、庫内に冷気を導く冷蔵室ダクト３８が配置されている。また、冷蔵室１３の下部、第一の仕切壁２４の上には給水タンク３９が置かれ、給水ポンプ４０、給水パイプ４１が連結されている。
【００２７】
製氷室１４の上部、第一の仕切壁２４の下面には製氷ユニット４２が設けられている。
【００２８】
製氷室１４、上段冷凍室１５、下段冷凍室１６の背面には、庫内に冷気を導く冷凍ダクト４３が設けられている。冷凍ダクト４３の背面には、冷凍ファン４４を備えた蒸発器カバー４５が蒸発器４６の前方に設けられている。蒸発器４６の下部には、除霜ヒータ４７が配置されている。また、蒸発器カバー４５の上方に冷蔵室１３内への冷気を制御する風
路ダンパ４８が配置されている。
【００２９】
野菜室１７内の背面には、庫内に冷気を導く野菜室ダクト４９が配置されている。
【００３０】
冷蔵庫本体１２には、天面に上部ヒンジ５０が配置され、第一の仕切壁２４の前面に下部ヒンジ５１が配置されている。上部ヒンジ５０と下部ヒンジ５１は、それぞれ上部ドア回転軸５２と下部ドア回転軸５３を備えている。
【００３１】
冷蔵室右ドア１９にはその上面と下面にそれぞれ上部軸受け５４と下部軸受け５５が設けられており、上部ドア回転軸５２と下部ドア回転軸５３に回転可能にそれぞれ係合されている。
【００３２】
冷蔵室右ドア１９の下面には、ドアの回転を止める制動部である回転制動部品５６が、下部軸受け５５と同軸に固定されており、さらに下部ドア回転軸５３に係合されている。回転制動部品５６には、制動ボタン５７が設けられている。
【００３３】
冷蔵室右ドア１９の下部に、制動レバー５８が手前方向に回転動作可能に軸支され、これに近接するようにプッシュロッド５９が左右方向に摺動可能に設けられている。この制動レバー５８とプッシュロッド５９により制動操作部が構成されている。プッシュロッド５９はその左端が制動レバー５８の一部と係合し、また、右端は制動ボタン５７に当接するように配置されている。
【００３４】
冷蔵室右ドア１９の下部には、ハンドル６０が制動レバー５８に近接するよう配置されている。尚、本実施の形態では、ハンドル６０の位置を制動レバー５８の左隣としたが、右隣あるいは上方に配置しても良い。
【００３５】
ドアに関する構成は右ドアについて説明したが、左ドアも同様の構成となっている。尚、本実施の形態では、冷蔵室ドアを２枚のドアを有するフレンチドア方式として説明したが、１枚のドアであっても同様の効果を有するものである。
【００３６】
以上のように構成された冷蔵庫について、以下その動作、作用を説明する。
【００３７】
冷蔵庫のユーザーが冷蔵室１３に食品を出し入れする場合には、冷蔵室左ドア１８、又は冷蔵室右ドア１９、もしくは両方のドアを開く動作を行う。この動作は冷蔵室右ドア１９の場合であれば、ハンドル６０を手がかりにして行われる。
【００３８】
通常モードの状態（図４の上図）であれば、冷蔵室左ドア１８や冷蔵室右ドア１９は、食品の出し入れに十分な角度まで開かれ、開閉動作自体も従来の冷蔵庫と同様に行うことができる。尚、ドア開放における最大角度は、例えば１００°から１４０°程度に設定されていることが多い（図５の角度ａ）。
【００３９】
しかしながら、冷蔵庫が設置される床面の状態や、素材、冷蔵庫自体の据付角度は様々であり、必ずしも水平に設置されているとは限らない。さらには、ドア棚２８への食品収納量はユーザー宅によって様々である。したがって、冷蔵室右ドア１９を開けたとしても、手を離すと自閉してしまう場合もある。特にドア開放側に壁などの障害物が存在する場合などはドア開角度が９０°未満の場合もあり、ドアが自閉してしまう現象が避けられない場合がある。
【００４０】
手を離すと冷蔵室ドアが自閉するような設置環境であれば、ユーザーは多くの場合、片手で冷蔵室ドアを押さえながらもう一方の手で食品を冷蔵室２内に収納することになる（
例えば図５の角度ｂ、ｃ）。
【００４１】
冷蔵室２において、冷蔵室棚２７の最上段や２段目などの比較的上部に食品を載置する場合や、ユーザーの身長が低い場合などは食品収納に困難を伴う場合もある。さらに鍋等の比較的重い物の場合は両手を使って収納する必要があり、冷蔵室右ドア１９を片手で固定すること自体が困難な場合もある。また、さらに幅広の収納物を収納する場合などは、冷蔵室左ドア１８、冷蔵室右ドア１９の両方を同時に開放しておく必要があり、片手で固定することは困難を伴う場合がある。
【００４２】
上記のような状態での食品収納に関する不便を解消するために固定モード（図４の下図）が設けてある。
【００４３】
通常モードでは、制動ボタン５７はプッシュロッド５９によって下部ドア回転軸５３方向により押し込まれており、回転制動部品５６と下部ドア回転軸５３は互いに抵抗無く自由に回転可能な状態に保たれている。この状態から制動レバー５８を手前に引くと固定モードに入り、制動レバー５８に係合されているプッシュロッド５９が左方向に動き、制動ボタン５７との当接が解除される。この時、バネ等で付勢されている制動ボタン５７は、回転制動部品５６の外周方向に突出することになる。制動ボタン５７の突出に伴い、回転制動部品５６内部にバネ付勢等により下部回転軸５２との回転を固定する力が働き、冷蔵室右ドア１９のドア閉方向への回転（図５のｄ方向）が無段階に固定される。
【００４４】
また、回転制動部品５６内部は、一方向のみの回転を固定する構造となっており、ドア開方向への回転（図５のｅ方向）は依然抵抗無く行える。したがって、冷蔵室右ドア１９の位置を微調整したい場合でも特別に何らかの操作を行うことなく、冷蔵室右ドア１９を動かすだけでドアの固定位置を容易に変更できる。冷蔵室２内への食品の出し入れの際には、冷蔵室右ドア１９をドア閉方向（図５のｄ方向）に微調整する必要はなく、ほとんどの場合ドア開方向（図５のｅ方向）への移動が要求されており、本実施の形態の動作で十分要求を満たすことができる。
【００４５】
冷蔵室右ドア１９を開放する際には、ハンドル６０にて任意の位置まで冷蔵室右ドア１９を移動させた後、制動レバー５８を手前方向に引き固定モードにするが、ドア開放動作の最初から制動レバー５８を動作させ、そのままハンドル６０を使わずに冷蔵室右ドアを任意の位置まで移動させ手を離しても良い。また、冷蔵室右ドア１９を閉める場合は、制動レバー５８をドア閉方向に押し込み、下部回転軸５２と回転制動部品５６とのロックを解除、すなわち通常モードに戻した上で冷蔵室右ドア１９を閉塞させる。
【００４６】
冷蔵室右ドア１９の開放と閉塞における一連の動作において、制動レバー５８の動作方向は冷蔵室右ドア１９の動作する方向と概ね一致しており、自然なドア動作を実現している。
【００４７】
尚、主に冷蔵室右ドア１９について動作、作用を説明したが、冷蔵室左ドア１８についても同様の動作、作用を有する。したがって、冷蔵室左右ドアの固定を個別に行うことも可能となっている。例えば、ドアが大きく食品収納量の多い冷蔵室右ドア１９を固定モードにし、比較的小さく、食品収納量の少ない左ドアを通常モードにする場合が考えられる。また逆に、冷蔵室左ドア１８を固定モードにし、冷蔵室右ドア１９を通常モードにする場合も考えられ、特に左利きのユーザーが食品を収納する場合の利便性を向上できる。さらに、冷蔵室左ドア１８と冷蔵室右ドア１９を両方固定モードにすると、冷蔵室２の開口部を大きく開いたまま固定することができ、幅広の収納物の出し入れ、及び両手での食品収納の際に非常に利便性が高い。
【００４８】
近年、家庭用の冷蔵庫においては、外形寸法を変えずに大容量化の方向で進化しており、その断熱壁は薄型化される傾向にある。ドアにおいても同様で、特に比較的温度の高い冷蔵室のドアは、冷凍室ドア等に比べ薄型設計されることが多い。また、外観の意匠性を向上させる目的でラウンドしたドア形状にすることも多く、回転式の冷蔵室ドアでは、ドア回転軸付近が最も壁厚が薄くなっている。
【００４９】
このような制動部の配置に構造的制約がある場合においても、本実施の形態では、回転制動部品５６によってドア回転を直接的に制動することが可能になっており、余分な構造物を配置することが避けられる。すなわち、従来の冷蔵庫にも設けられている下部ドア回転軸５３と、その周囲の最低限の空間を占める回転制動部品５６によって、冷蔵室右ドア１９の回転を固定する制動機能を実現している。このとき、回転制動部品５６は冷蔵室右ドア１９の厚みに対して十分に小さく、冷蔵室右ドア１９からはみ出して配置されることはない。
【００５０】
以上のように、本実施の形態においては、冷蔵庫本体１２と、冷蔵庫本体１２の前面開口部を閉塞する回転式の冷蔵室左ドア１８、冷蔵室右ドア１９と、制動部である回転制動部品５６と、制動操作部である制動レバー５８、プッシュロッド５９から構成したものであり、通常モード時はドア回転の固定を行わず自由にドア開閉が行え、固定モードの時のみドア回転を固定することにより、通常使用時のドア開閉の簡便さを維持しつつ、食品収納、取出し時の利便性を向上させることができる。
【００５１】
また、任意の角度で無段階にドアの回転を固定することができ、ユーザー宅での冷蔵庫設置状況に対応した最適な角度でドア開放させることができる。
【００５２】
また、ドア閉方向へのドア回転を固定した場合でもドア開方向へは常時回転可能なように構成されており、ユーザーは最適な位置で任意にドア開放角度を微調整することができる。
【００５３】
また、制動部を冷蔵室ドアに対して十分小さく構成することができ、薄型のドアであっても制動機能を実装することができる。
【００５４】
（実施の形態２）
図６は、本発明の実施の形態２における冷蔵庫のドアを示す分解斜視図である。図７は、本発明の実施の形態２における冷蔵庫の制動部を示す要部平面図である。図８は、本発明の実施の形態２における冷蔵庫の制動部のモードを示す要部平面図である。
【００５５】
図６〜８において、冷蔵室右ドア１９の下面には下部軸受け５５が設けられており、下部ヒンジ５１の下部ドア回転軸５３に係合されている。
【００５６】
同じく冷蔵室右ドア１９の下部には、ロッド部材６１がドア左右方向に摺動可能に配置されており、リンク部材６２を介して下部ヒンジ５１と連結されている。
【００５７】
並進制動部品６３は、冷蔵室右ドア１９の下部に固定されており、かつ、ロッド部材６１が貫通する構成をとっている。また、並進制動部品６３には制動ボタン６４が設けられている。
【００５８】
制動レバー５８は、実施の形態１と同様に冷蔵室右ドア１９の下部に配置され、手前方向に回動可能なように設けられている。また、制動レバー５８と並進制動部品６３は近接して配置され、制動レバー５８の一部は制動ボタン６４と当接可能となっている。
【００５９】
冷蔵室右ドア１９の下部には、ハンドル６０が制動レバー５８に近接するよう配置されている。尚、本実施の形態では、ハンドル６０の位置を制動レバー５８の左隣としたが、右隣あるいは上方に配置しても良い。
【００６０】
本実施の形態においては右ドアについて説明したが、左ドアも同様の構成となっている。尚、冷蔵室ドアを２枚のドアを有するフレンチドア方式として説明したが、１枚のドアであっても同様の効果を有するものである。
【００６１】
以上のように構成された冷蔵庫について、以下その動作、作用を説明するが、実施の形態１と同様の動作、作用については詳細な説明を省略する。
【００６２】
通常モード時には、制動レバー５８は冷蔵室右ドア１９表面と略同一面に位置しており、制動レバー５８と当接する制動ボタン６４は並進制動部品６３内に押し込まれている（図８の上図）。ハンドル６０を手掛かりにして冷蔵室右ドア１９を開くと、冷蔵庫本体１２に固定された下部ヒンジ５１と、リンク部材６２を介してロッド部材６１が引っ張られ、このロッド部材６１は並進制動部品６３に対して相対的に摺動する（図７のｆ方向）。冷蔵室右ドア１９を全開にした場合には、ロッド部材６１は並進制動部品６３に対してドア閉の位置から一定距離（図７のｇ寸法）移動することになる。この時、ロッド部材６１と並進制動部品６３は相互に抵抗無く摺動可能であり、冷蔵室右ドア１９の開閉は従来の冷蔵庫と同様に自由に行える。
【００６３】
一方、固定モード時には、制動レバー５８は手前に引き出され、制動ボタン６４との当接が解除される。制動ボタン６４は並進制動部品６３内においてバネ等で付勢されており、制動レバー５８との当接が解除されることにより並進制動部品６３の外側に向けて突出する。この状態になった場合には、ロッド部材６１の並進制動部品６３に対する一方方向への動き（図７のｈ方向）が、並進制動部品６３がロッド部材６１に対して発生させる摩擦力により制限され、冷蔵室右ドア１９の閉方向への回転が固定される。この時でも、ロッド部材６１の並進制動部品６３に対するもう一方方向の動き（図７のｆ方向）は制限されず、冷蔵室右ドア１９のドア開方向への回転は自由に抵抗なく行える。
【００６４】
ドアの回転固定に際しては、ドアを自閉させないためにある一定以上の制動力が要求される。この制動力は、ドアの大きさ、ドア収納量、設置環境によって異なるが、ドアの左右寸法が大きい冷蔵庫、例えば大容量の冷蔵庫や一枚ドアの冷蔵庫においては、比較的大きな制動力が要求される。
【００６５】
本実施の形態においては、ドアの回転運動を一端直線運動に変換した後、この直線運動を制動するような構成をとっている。すなわち、直線運動するロッド部材６１を並進制動部品６３にて制動している。制動力を向上させる方法としては、摺動部と制動部の接触面積を拡大し、摩擦力を上げることが考えられるが、本実施の形態であれば並進制動部品６３の長さを変えることで比較的容易に接触面積を増やすことができる。並進制動部品６３の長さは、ロッド部材６１と同等程度まで延長させることが可能である。
【００６６】
以上のように、本実施の形態においては、実施の形態１における制動部を下部ヒンジ５１と、リンク部材６２と、ロッド部材６１と、制動ボタン６４を備えた並進制動部品６３から構成したものであり、通常モード時はドア回転の固定を行わず自由にドア開閉が行え、固定モード時のみドアの回転を固定することにより、通常使用時のドア開閉の簡便さを維持しつつ、食品収納、取出し時の利便性を向上させることができる。
【００６７】
また、任意の角度での冷蔵室右ドア１９の無段階固定、およびドア開放角度の微調整も実施の形態１と同様に行うことができる。
【００６８】
また、比較的大型の冷蔵庫や、一枚ドアの冷蔵室ドアであっても十分なドア回転制動力を得ることができる。
【産業上の利用可能性】
【００６９】
以上のように、本発明にかかる冷蔵庫は、ドア開閉の簡便さを維持しつつ、頻繁なドア開閉操作を行う必要がなく、食品収納、取出し時の利便性を向上させることができるので、家庭用冷蔵庫のみならず、業務用冷蔵庫、自動販売機、食品倉庫等の収納物を出し入れする機器に対して適用できる。
【符号の説明】
【００７０】
１１  冷蔵庫
１２  冷蔵庫本体
１８  冷蔵室左ドア
１９  冷蔵室右ドア
５１  下部ヒンジ（制動部）
５３  下部ドア回転軸（制動部）
５６  回転制動部品（制動部）
５８  制動レバー（制動操作部）
５９  プッシュロッド（制動操作部）
６１  ロッド部材（制動部）
６２  リンク部材（制動部）
６３  並進制動部品（制動部）
【図１】
2014142144.tif 000003
【図２】
2014142144.tif 000004
【図３】
2014142144.tif 000005
【図４】
2014142144.tif 000006
【図５】
2014142144.tif 000007
【図６】
2014142144.tif 000008
【図７】
2014142144.tif 000009
【図８】
2014142144.tif 000010
【図９】
2014142144.tif 000011
【図１０】
2014142144.tif 000012